【手続補正書】
【提出日】平成26年8月14日(2014.8.14)
【手続補正１】
【補正対象書類名】特許請求の範囲
【補正対象項目名】全文
【補正方法】変更
【補正の内容】
【特許請求の範囲】
【請求項１】
造影剤注入器システムであって、
該システムは、
パワーヘッドと、シリンジと、読取り機と、腎機能査定モジュールとを備え、
該パワーヘッドは、
筐体と、
軸に沿って移動するように設計された動力付き駆動ラムであって、該動力付き駆動ラムの少なくとも一部は、該筐体内に位置する、駆動ラムと、
シリンジ取付け台と
を備え、
該シリンジは、該パワーヘッド上に設置され、該シリンジは、データ記憶デバイスを備え、第１の閾値腎機能データが該データ記憶デバイスの記憶装置に記憶され、該シリンジ取付け台は、該シリンジのバレルを該筐体に対して少なくとも実質的に不動化するように設計され、それにより、該駆動ラムは、該シリンジのプランジャを該シリンジの該バレル内においておよび該シリンジの該バレルに対して移動させることができ、
該読取り機は、該シリンジのための該データ記憶デバイスと通信し、
該腎機能査定モジュールは、比較論理を備え、該比較論理は、該第１の閾値腎機能データを撮像されるべき患者に関する腎機能データと比較するように構成され、該第１の閾値腎機能データは、該読取り機によって、該シリンジのための該データ記憶デバイスから読み出される、システム。
【請求項２】
第１のユーザ入力デバイスをさらに備え、該第１のユーザ入力デバイスは、前記パワーヘッドおよび前記造影剤注入器システムの遠隔コンソールのうちの少なくとも１つと関連付けられ、該第１のユーザ入力デバイスは、撮像されるべき患者に関する腎機能データの手動入力に適応する、請求項１に記載の造影剤注入器システム。
【請求項３】
第２のユーザ入力デバイスをさらに備え、該第２のユーザ入力デバイスもまた、撮像されるべき患者に関する腎機能データの手動入力に適応し、前記第１のユーザ入力デバイスは、前記造影剤注入器システムの遠隔コンソールと関連付けられ、該第２のユーザ入力デバイスは、前記パワーヘッドと関連付けられている、請求項２に記載の造影剤注入器システム。
【請求項４】
前記腎機能査定モジュールは、プロンプト論理をさらに備え、該プロンプト論理は、撮像されるべき患者に関する腎機能情報の入力のためのプロンプトを発するように構成されている、請求項１〜３のいずれか一項に記載の造影剤注入器システム。
【請求項５】
前記プロンプトは、前記造影剤注入器システムの少なくとも１つのディスプレイ上に提示される、請求項４に記載の造影剤注入器システム。
【請求項６】
前記パワーヘッドは、パワーヘッドディスプレイを備え、前記プロンプトは、該パワーヘッドディスプレイ上に提示される、請求項４および５のいずれか一項に記載の造影剤注入器システム。
【請求項７】
前記パワーヘッドと通信する遠隔コンソールをさらに備え、該遠隔コンソールは、遠隔コンソールディスプレイを備え、注入パラメータをプログラムするためにユーザによって利用されることができ、該プロンプトは、該遠隔コンソールディスプレイ上に提示される、請求項４〜６のいずれか一項に記載の造影剤注入器システム。
【請求項８】
前記造影剤注入器システムの第１のユーザ入力デバイスは、ユーザが、前記プロンプトに手動で応答することを可能にする、請求項４〜７のいずれか一項に記載の造影剤注入器システム。
【請求項９】
前記プロンプトは、ユーザへのメッセージであり、該メッセージは、撮像されるべき患者の現在の腎機能の入力を要求する、請求項４〜８のいずれか一項に記載の造影剤注入器システム。
【請求項１０】
前記プロンプトは、撮像されるべき患者の現在の腎機能が容認可能であると決定されたかどうかについての照会である、請求項４〜８のいずれか一項に記載の造影剤注入器システム。
【請求項１１】
前記造影剤注入器システムは、否定応答が、前記プロンプトに応答して、前記第１のユーザ入力デバイスを介して入力される場合、造影剤放出を提供するよう動作することを阻止される、請求項１０に記載の造影剤注入器システム。
【請求項１２】
前記腎機能査定モジュールは、少なくとも１つのプロセッサをさらに備え、該少なくとも１つのプロセッサは、前記プロンプトを発するようにプログラムされている、請求項４〜１１のいずれか一項に記載の造影剤注入器システム。
【請求項１３】
前記少なくとも１つのプロセッサは、撮像されるべき患者に関する患者腎機能データが、前記プロンプトに応答して、前記造影剤注入器システムの第１のユーザ入力デバイスを介して手動で入力されない場合、該造影剤注入器システムが造影剤放出を提供するよう動作することを阻止されるようにプログラムされている、請求項１２に記載の造影剤注入器システム。
【請求項１４】
前記少なくとも１つのプロセッサは、撮像されるべき患者に関する患者腎機能データが、前記プロンプトに応答して、前記造影剤注入器システムの第１のユーザ入力デバイスを介して手動で入力されない場合、アラームを発するようにプログラムされている、請求項１２および１３のいずれか一項に記載の造影剤注入器システム。
【請求項１５】
撮像されるべき患者に関する腎機能データは、直接ユーザ入力、病院情報システム（ＨＩＳ）から、放射線情報システム（ＲＩＳ）から、画像およびアーカイブ通信システム（ＰＡＣＳ）から、患者電子医療記録システムから、ならびに腎機能試験モジュールからのうちの少なくとも１つによって、前記造影剤注入器システムに提供される、請求項１〜３のいずれか一項に記載の造影剤注入器システム。
【請求項１６】
腎機能データ源をさらに備え、該腎機能データ源は、直接ユーザ入力、病院情報システム（ＨＩＳ）、放射線情報システム（ＲＩＳ）、画像およびアーカイブ通信システム（ＰＡＣＳ）、患者電子医療記録システム、ならびに腎機能試験モジュールのうちの少なくとも１つを備える、請求項１〜３のいずれか一項に記載の造影剤注入器システム。
【請求項１７】
前記腎機能査定モジュールは、少なくとも１つのプロセッサをさらに備える、請求項１〜３、１５、および１６のいずれか一項に記載の造影剤注入器システム。
【請求項１８】
前記少なくとも１つのプロセッサは、撮像されるべき患者に関する腎機能データが、前記第１の閾値腎機能データに対応しない場合、前記造影剤注入器システムが、造影剤放出を提供するよう動作することを阻止されるようにプログラムされている、請求項１７に記載の造影剤注入器システム。
【請求項１９】
前記少なくとも１つのプロセッサは、撮像されるべき患者に関する腎機能データが、前記第１の閾値腎機能データに対応しない場合、アラームを発するようにプログラムされている、請求項１７および１８のいずれか一項に記載の造影剤注入器システム。
【請求項２０】
前記少なくとも１つのプロセッサは、第１の条件および第２の条件のうちの１つ以上の発生に応じて、前記造影剤注入器システムが、造影剤放出を提供するよう動作することを阻止されるようにプログラムされ、該第１の条件は、撮像されるべき患者に関する患者腎機能データが該造影剤注入器システムに未だ提供されていないというものであり、該第２の条件は、撮像されるべき患者に関する腎機能データが、前記第１の閾値腎機能データに対応しないというものである、請求項１７〜１９のいずれか一項に記載の造影剤注入器システム。
【請求項２１】
前記少なくとも１つのプロセッサは、前記第１の条件および第２の条件のうちの１つ以上の発生に応じて、アラームを発するようにプログラムされている、請求項２０に記載の造影剤注入器システム。
【請求項２２】
前記少なくとも１つのプロセッサは、前記第１の条件および第２の条件のうちの１つ以上の発生に応じて、少なくとも１つの次のアクション命令を発するようにプログラムされている、請求項２０および２１のいずれか一項に記載の造影剤注入器システム。
【請求項２３】
前記少なくとも１つのプロセッサは、前記パワーヘッド内に位置する、請求項１７〜２２のいずれか一項に記載の造影剤注入器システム。
【請求項２４】
前記データ記憶デバイスは、ＲＦデータタグを備え、前記読取り機は、電磁デバイスを備え、該電磁デバイスは、前記シリンジ上のＲＦデータタグからデータを電磁的に読み取るように設計されている、請求項１〜２３のいずれか一項に記載の造影剤注入器システム。
【請求項２５】
前記読取り機は、前記パワーヘッドと関連付けられている、請求項１〜２４のいずれか一項に記載の造影剤注入器システム。
【請求項２６】
前記読取り機の少なくとも一部は、前記シリンジ取付け台内に位置する、請求項１〜２５のいずれか一項に記載の造影剤注入器システム。
【請求項２７】
前記第１の閾値腎機能データは、前記シリンジ内に含まれる造影剤に関する、請求項１〜２６のいずれか一項に記載の造影剤注入器システム。
【請求項２８】
データ記憶装置をさらに備え、該データ記憶装置は、造影剤特有の閾値腎機能データを備え、該造影剤特有の閾値腎機能データは、前記第１の閾値腎機能データを備える、請求項１〜２７のいずれか一項に記載の造影剤注入器システム。
【請求項２９】
前記データ記憶装置は、ルックアップテーブルを備え、該ルックアップテーブルは、複数の造影剤タイプおよび対応する閾値腎機能データを含む、請求項２８に記載の造影剤注入器システム。
【請求項３０】
注入のために使用されるべき造影剤タイプの前記造影剤注入器システムに対する識別は、該造影剤タイプと関連付けられた前記ルックアップテーブルから閾値腎機能データを自動的に読み出す、請求項２９に記載の造影剤注入器システム。
【請求項３１】
造影剤注入器システムであって、
該システムは、
パワーヘッドと、データ記憶装置とを備え、
該パワーヘッドは、
筐体と、
軸に沿って移動するように設計された動力付き駆動ラムであって、該動力付き駆動ラムの少なくとも一部は、該筐体内に位置する、駆動ラムと、
シリンジ取付け台であって、該シリンジ取付け台は、シリンジのバレルを該筐体に対して少なくとも実質的に不動化するように設計され、それにより、該駆動ラムは、該シリンジの該バレル内においておよび該シリンジの該バレルに対して、該シリンジのプランジャを移動させることができる、シリンジ取付け台と
を備え、
該データ記憶装置は、複数の造影剤タイプおよび複数の閾値腎機能を備え、各造影剤タイプは、対応する該閾値腎機能と関連付けられている、システム。
【請求項３２】
造影剤管理システムであって、
該システムは、
複数の造影剤容器を備える造影剤供給部であって、該複数の造影剤容器は、各々、密閉状態にある、造影剤供給部と、
腎機能査定モジュールであって、該腎機能査定モジュールは、該密閉状態にある間、該供給部からの個々の造影剤容器の解放を制御するよう動作可能である、腎機能査定モジュールと
を備える、システム。
【請求項３３】
腎機能査定モジュールを備える撮像ユニットを備える、医療撮像システム。
【手続補正２】
【補正対象書類名】明細書
【補正対象項目名】００５０
【補正方法】変更
【補正の内容】
【００５０】
本明細書で使用されるように、用語「着脱可能に相互接続される」とは、構成要素間の関係を説明しており、その場合、構成要素は、相互接続されるが、相互から取り外される能力を留保し、取り外された後も、構成要素はそれぞれ、使用可能条件下にある。例えば、「パワーヘッドと着脱可能に相互接続されている、電動注入シリンジ」とは、電動注入シリンジが、現在、電動注入シリンジをパワーヘッドから取り外すことが可能な様式において、パワーヘッドに相互接続されている、条件を説明する。さらに、そのような取り外し後も、電動注入シリンジおよびパワーヘッドは両方とも、相互に（または、別の構成要素と）（例えば、着脱可能に）相互接続される能力を留保する。
本発明はさらに、たとえば、以下を提供する。
（項目１）
造影剤注入器システムであって、
該システムは、
パワーヘッドと、データ記憶装置とを備え、
該パワーヘッドは、
筐体と、
軸に沿って移動するように設計される動力付き駆動ラムであって、該動力付き駆動ラムの少なくとも一部は、該筐体内に位置する、駆動ラムと、
シリンジ取付け台であって、該シリンジ取付け台は、シリンジのバレルを該筐体に対して少なくとも実質的に不動化するように設計され、それにより、該駆動ラムは、該シリンジの該バレル内においておよびそれに対して、該シリンジのプランジャを移動させることができる、シリンジ取付け台と
を備え、
該データ記憶装置は、複数の造影剤タイプおよび複数の閾値腎機能を備え、各造影剤タイプは、対応する該閾値腎機能と関連付けられる、システム。
（項目２）
前記データ記憶装置は、コンピュータ可読記憶媒体によって具現化される、項目１に記載の造影剤注入器システム。
（項目３）
前記データ記憶装置は、ルックアップテーブルを備える、項目１および２のいずれかに記載の造影剤注入器システム。
（項目４）
前記パワーヘッドは、前記データ記憶装置を備える、項目１−３のいずれかに記載の造影剤注入器システム。
（項目５）
前記造影剤注入器システムの遠隔コンソールは、前記データ記憶装置を備える、項目１−４のいずれかに記載の造影剤注入器システム。
（項目６）
前記データ記憶装置は、前記パワーヘッドおよび前記造影剤注入器システムの遠隔コンソールのうちの少なくとも１つと分離しているが、それと動作可能に接続されている、項目１−３のいずれかに記載の造影剤注入器システム。
（項目７）
前記データ記憶装置は、撮像システム、病院情報システム（ＨＩＳ）、放射線情報システム（ＲＩＳ）、画像アーカイブおよび通信システム（ＰＡＣＳ）、ならびに患者電子医療記録システムのうちの少なくとも１つによって具現化される、項目６に記載の造影剤注入器システム。
（項目８）
前記パワーヘッド上に設置されるシリンジであって、該シリンジは、データ記憶デバイスを備え、第１の閾値腎機能データが、該データ記憶デバイス記憶装置に記憶される、シリンジと、
該シリンジのための該データ記憶デバイスと通信する読取り機と、
比較論理を備える腎機能査定モジュールであって、該比較論理は、該第１の閾値腎機能データを撮像されるべき患者に関する腎機能データと比較するように構成され、該第１の閾値腎機能データは、該読取り機によって、該シリンジのための該データ記憶デバイスから読み出される、腎機能査定モジュールと
をさらに備える、項目１−７のいずれかに記載の造影剤注入器システム。
（項目９）
造影剤注入器システムであって、
該システムは、
パワーヘッドと、シリンジと、読取り機と、腎機能査定モジュールとを備え、
該パワーヘッドは、
筐体と、
軸に沿って移動するように設計される動力付き駆動ラムであって、該駆動ラムの少なくとも一部は、該筐体内に位置する、駆動ラムと、
シリンジ取付け台と
を備え、
該シリンジは、該パワーヘッド上に設置され、該シリンジは、データ記憶デバイスを備え、第１の閾値腎機能データが該データ記憶デバイス記憶装置に記憶され、該シリンジ取付け台は、該シリンジのバレルを該筐体に対して少なくとも実質的に不動化するように設計され、それにより、該シリンジのプランジャを該シリンジの該バレル内においておよびそれに対して移動させることができ、
該読取り機は、該シリンジのための該データ記憶デバイスと通信し、
該腎機能査定モジュールは、比較論理を備え、該比較論理は、該第１の閾値腎機能データを撮像されるべき患者に関する腎機能データと比較するように構成され、該第１の閾値腎機能データは、該読取り機によって、該シリンジのための該データ記憶デバイスから読み出される、システム。
（項目１０）
第１のユーザ入力デバイスをさらに備え、該第１のユーザ入力デバイスは、前記パワーヘッドおよび前記造影剤注入器システムの遠隔コンソールのうちの少なくとも１つと関連付けられ、該第１のユーザ入力デバイスは、撮像されるべき患者に関する腎機能データの手動入力に適応する、項目８および９のいずれかに記載の造影剤注入器システム。
（項目１１）
第２のユーザ入力デバイスをさらに備え、該第２のユーザ入力デバイスもまた、撮像されるべき患者に関する腎機能データの手動入力に適応し、前記第１のユーザ入力デバイスは、前記造影剤注入器システムの遠隔コンソールと関連付けられ、該第２のユーザ入力デバイスは、前記パワーヘッドと関連付けられる、項目１０に記載の造影剤注入器システム。
（項目１２）
前記腎機能査定モジュールは、プロンプト論理をさらに備え、該プロンプト論理は、撮像されるべき患者に関する腎機能情報の入力のためのプロンプトを発するように構成される、項目８−１１のいずれかに記載の造影剤注入器システム。
（項目１３）
前記プロンプトは、前記造影剤注入器システムの少なくとも１つのディスプレイ上に提示される、項目１２に記載の造影剤注入器システム。
（項目１４）
前記パワーヘッドは、パワーヘッドディスプレイを備え、前記プロンプトは、該パワーヘッドディスプレイ上に提示される、項目１２および１３のいずれかに記載の造影剤注入器システム。
（項目１５）
前記パワーヘッドと通信する遠隔コンソールをさらに備え、該遠隔コンソールは、遠隔コンソールディスプレイを備え、注入パラメータをプログラムするためにユーザによって利用されることができ、該プロンプトは、該遠隔コンソールディスプレイ上に提示される、項目１２−１４のいずれかに記載の造影剤注入器システム。
（項目１６）
前記造影剤注入器システムの第１のユーザ入力デバイスは、ユーザが、前記プロンプトに手動で応答することを可能にする、項目１２−１５のいずれかに記載の造影剤注入器システム。
（項目１７）
前記プロンプトは、ユーザへのメッセージであり、該メッセージは、撮像されるべき患者の現在の腎機能の入力を要求する、項目１２−１６のいずれかに記載の造影剤注入器システム。
（項目１８）
前記プロンプトは、撮像されるべき患者の現在の腎機能が容認可能であると決定されたかどうかについての照会である、項目１２−１６のいずれかに記載の造影剤注入器システム。
（項目１９）
前記造影剤注入器システムは、否定応答が、前記プロンプトに応答して、前記第１のユーザ入力デバイスを介して入力される場合、造影剤放出を提供するよう動作することを阻止される、項目１８に記載の造影剤注入器システム。
（項目２０）
前記腎機能査定モジュールは、少なくとも１つのプロセッサをさらに備え、該少なくとも１つのプロセッサは、前記プロンプトを発するようにプログラムされる、項目１２−１９のいずれかに記載の造影剤注入器システム。
（項目２１）
前記少なくとも１つのプロセッサは、撮像されるべき患者に関する患者腎機能データが、前記プロンプトに応答して、前記造影剤注入器システムの第１のユーザ入力デバイスを介して手動で入力されない場合、該造影剤注入器システムが造影剤放出を提供するよう動作させられることを阻止されるようにプログラムされる、項目２０に記載の造影剤注入器システム。
（項目２２）
前記少なくとも１つのプロセッサは、撮像されるべき患者に関する患者腎機能データが、前記プロンプトに応答して、前記造影剤注入器システムの第１のユーザ入力デバイスを介して手動で入力されない場合、アラームを発するようにプログラムされる、項目２０および２１のいずれかに記載の造影剤注入器システム。
（項目２３）
撮像されるべき患者に関する腎機能データは、直接ユーザ入力、病院情報システム（ＨＩＳ）から、放射線情報システム（ＲＩＳ）から、画像およびアーカイブ通信システム（ＰＡＣＳ）から、患者電子医療記録システムから、ならびに腎機能試験モジュールからのうちの少なくとも１つによって、前記造影剤注入器システムに提供される、項目８−１１のいずれかに記載の造影剤注入器システム。
（項目２４）
腎機能データ源をさらに備え、該腎機能データ源は、直接ユーザ入力、病院情報システム（ＨＩＳ）、放射線情報システム（ＲＩＳ）、画像およびアーカイブ通信システム（ＰＡＣＳ）、患者電子医療記録システム、ならびに腎機能試験モジュールのうちの少なくとも１つを備える、項目８−１１のいずれかに記載の造影剤注入器システム。
（項目２５）
前記腎機能査定モジュールは、少なくとも１つのプロセッサをさらに備える、項目８−１１、２３、および２４のいずれかに記載の造影剤注入器システム。
（項目２６）
前記少なくとも１つのプロセッサは、撮像されるべき患者に関する腎機能データが、前記第１の閾値腎機能データに対応しない場合、前記造影剤注入器システムが、造影剤放出を提供するよう動作させられることを阻止されるようにプログラムされる、項目２５に記載の造影剤注入器システム。
（項目２７）
前記少なくとも１つのプロセッサは、撮像されるべき患者に関する腎機能データが、前記第１の閾値腎機能データに対応しない場合、アラームを発するようにプログラムされる、項目２５および２６のいずれかに記載の造影剤注入器システム。
（項目２８）
前記少なくとも１つのプロセッサは、第１および第２の条件のうちの１つ以上の発生に応じて、前記造影剤注入器システムが、造影剤放出を提供するよう動作させられることを阻止されるようにプログラムされ、該第１の条件は、撮像されるべき患者に関する患者腎機能データが該造影剤注入器システムに未だ提供されていないというものであり、該第２の条件は、撮像されるべき患者に関する腎機能データが、前記第１の閾値腎機能データに対応しないというものである、項目２５−２７のいずれかに記載の造影剤注入器システム。
（項目２９）
前記少なくとも１つのプロセッサは、前記第１および第２の条件のうちの１つ以上の発生に応じて、アラームを発するようにプログラムされる、項目２８に記載の造影剤注入器システム。
（項目３０）
前記少なくとも１つのプロセッサは、前記第１および第２の条件のうちの１つ以上の発生に応じて、少なくとも１つの次のアクション命令を発するようにプログラムされる、項目２８および２９のいずれかに記載の造影剤注入器システム。
（項目３１）
前記少なくとも１つのプロセッサは、前記パワーヘッド内に位置する、項目２５−３０のいずれかに記載の造影剤注入器システム。
（項目３２）
前記データ記憶デバイスは、ＲＦデータタグを備え、前記読取り機は、電磁デバイスを備え、該電磁デバイスは、前記シリンジ上のＲＦデータタグからデータを電磁的に読み取るように設計される、項目８−３１のいずれかに記載の造影剤注入器システム。
（項目３３）
前記読取り機は、前記パワーヘッドと関連付けられる、項目８−３２のいずれかに記載の造影剤注入器システム。
（項目３４）
前記読取り機の少なくとも一部は、前記シリンジ取付け台内に位置する、項目８−３３のいずれかに記載の造影剤注入器システム。
（項目３５）
前記第１の閾値腎機能データは、前記シリンジ内に含有される造影剤に関する、項目８−３４のいずれかに記載の造影剤注入器システム。
（項目３６）
データ記憶装置をさらに備え、該データ記憶装置は、造影剤特有の閾値腎機能データを備え、該造影剤特有の閾値腎機能データは、前記第１の閾値腎機能データを備える、項目９−３５のいずれかに記載の造影剤注入器システム。
（項目３７）
前記データ記憶装置は、ルックアップテーブルを備え、該ルックアップテーブルは、複数の造影剤タイプおよび対応する閾値腎機能データを含む、項目３６に記載の造影剤注入器システム。
（項目３８）
注入のために使用されるべき造影剤タイプの前記造影剤注入器システムに対する識別は、該造影剤タイプと関連付けられた前記ルックアップテーブルから閾値腎機能データを自動的に読み出す、項目３７に記載の造影剤注入器システム。
（項目３９）
造影剤管理システムであって、
該システムは、
複数の造影剤容器を備える造影剤供給部であって、該複数の造影剤容器は、各々、密閉状態にある、造影剤供給部と、
腎機能査定モジュールであって、該腎機能査定モジュールは、該密閉状態にある間、該供給部からの個々の造影剤容器の解放を制御するよう動作可能である、腎機能査定モジュールと
を備える、システム。
（項目４０）
前記複数の造影剤容器は、複数の予充填されたシリンジを備え、該シリンジは、各々、造影剤を含有する、項目３９に記載の造影剤管理システム。
（項目４１）
前記複数の造影剤容器の各々は、造影剤注入器システムと併用するために適合される、項目３９および４０のいずれかに記載の造影剤管理システム。
（項目４２）
前記複数の造影剤容器の各々は、前記造影剤供給部から解放された後にのみ、患者注入手技において使用可能である、項目３９−４１のいずれかに記載の造影剤管理システム。
（項目４３）
前記複数の造影剤容器の各々は、データ記憶デバイスを備える、項目３９−４２のいずれかに記載の造影剤管理システム。
（項目４４）
前記複数の造影剤容器の各々のための前記データ記憶デバイスは、ＲＦデータタグを備える、項目４３に記載の造影剤管理システム。
（項目４５）
前記複数の造影剤容器の各々のための前記データ記憶デバイスは、その対応する造影剤容器の中の造影剤に対する造影剤タイプ識別子を備える、項目４３および４４のいずれかに記載の造影剤管理システム。
（項目４６）
前記複数の造影剤容器の各々のための前記データ記憶デバイスは、その対応する造影剤容器の中の造影剤に対する閾値腎機能データを備える、項目４３−４５のいずれかに記載の造影剤管理システム。
（項目４７）
前記複数の造影剤容器の各々は、対応する閾値腎機能データを有し、該閾値腎機能データは、その対応する前記データ記憶デバイス上に記憶されたデータを使用して読出し可能である、項目４３−４６のいずれかに記載の造影剤管理システム。
（項目４８）
前記閾値腎機能データは、選択された造影剤タイプの造影剤容器の前記データ記憶デバイス上に記憶されたデータを使用して、外部データベースから読み出される、項目４７に記載の造影剤管理システム。
（項目４９）
前記閾値腎機能データは、選択された造影剤タイプの造影剤容器の前記データ記憶デバイスから直接的に読み出される、項目４７に記載の造影剤管理システム。
（項目５０）
前記腎機能査定モジュールは、選択された造影剤タイプの造影剤容器のための前記閾値腎機能データを利用して、該造影剤容器が前記供給部から解放されるべきかどうかを決定する、項目４６−４９のいずれかに記載の造影剤管理システム。
（項目５１）
第１のデータ入力デバイスをさらに備え、該第１のデータ入力デバイスは、前記腎機能査定モジュールと動作可能に接続される、項目５０に記載の造影剤管理システム。
（項目５２）
前記腎機能査定モジュールは、比較論理を備え、該比較論理は、前記第１のデータ入力デバイスを介して入力された患者腎機能データを、選択された造影剤タイプの造影剤容器のための前記閾値腎機能データと比較するように構成される、項目５１に記載の造影剤管理システム。
（項目５３）
前記腎機能査定モジュールは、前記造影剤容器を前記供給部から解放し、該解放は、前記患者腎機能データが、前記選択された造影剤タイプの造影剤容器の前記データ記憶デバイスを使用して読み出された前記閾値腎機能データに対応するときにのみ行われる、項目５２に記載の造影剤管理システム。
（項目５４）
前記患者腎機能データは、直接ユーザ入力によって、病院情報システム（ＨＩＳ）によって、放射線情報システム（ＲＩＳ）によって、画像およびアーカイブ通信システム（ＰＡＣＳ）によって、患者電子医療記録システムによって、および腎機能試験モジュールによって提供される、項目５２および５３のいずれかに記載の造影剤管理システム。
（項目５５）
前記腎機能査定モジュールと動作可能に接続された第１のデータ入力デバイスをさらに備え、該腎機能査定モジュールは、所定のデータが該第１のデータ入力デバイスを介して入力された後にのみ、前記複数の造影剤容器のうちの１つを前記供給部から解放する、項目３９−４５のいずれかに記載の造影剤管理システム。
（項目５６）
前記所定のデータは、撮像されるべき患者の腎機能が、選択された造影剤タイプの造影剤容器に対して十分であると既に決定されていることの肯認を備える、項目５５に記載の造影剤管理システム。
（項目５７）
腎機能査定モジュールを備える撮像ユニットを備える、医療撮像システム。
（項目５８）
前記腎機能査定モジュールは、比較論理を備え、該比較論理は、閾値腎機能データを撮像されるべき患者に関する腎機能データと比較するように構成され、該閾値腎機能データは、撮像されるべき患者に注入されるべき造影剤に関する、項目５７に記載の医療撮像システム。
（項目５９）
前記腎機能査定モジュールは、プロンプト論理をさらに備え、該プロンプト論理は、撮像されるべき患者に関する前記腎機能データの入力のためのプロンプトを発するように構成される、項目５８に記載の医療撮像システム。
（項目６０）
前記プロンプトは、前記医療撮像システムの少なくとも１つのディスプレイ上に提示される、項目５９に記載の医療撮像システム。
（項目６１）
前記医療撮像システムの第１のユーザ入力デバイスは、ユーザが前記プロンプトに手動で応答することを可能にする、項目５９および６０のいずれかに記載の医療撮像システム。
（項目６２）
前記プロンプトは、ユーザへのメッセージであり、該メッセージは、撮像されるべき患者に関する前記腎機能データの入力を要求する、項目５９−６１のいずれかに記載の医療撮像システム。
（項目６３）
前記プロンプトは、撮像されるべき患者の現在の腎機能が容認可能であると既に決定されているかどうかについての照会である、項目５９−６１のいずれかに記載の医療撮像システム。
（項目６４）
造影剤注入器システムは、否定応答が、前記プロンプトに応答して、前記医療撮像システムのユーザ入力デバイスを介して入力される場合、造影剤放出を提供するよう動作させられることを阻止される、項目６３に記載の医療撮像システム。
（項目６５）
前記腎機能査定モジュールは、少なくとも１つのプロセッサをさらに備え、該少なくとも１つのプロセッサは、前記プロンプトを発するようにプログラムされる、項目５９−６４のいずれかに記載の医療撮像システム。
（項目６６）
前記少なくとも１つのプロセッサは、撮像されるべき患者に関する前記腎機能データが、前記プロンプトに応答して、医療撮像システムの第１のユーザ入力デバイスを介して手動で入力されない場合、造影剤注入器システムが、造影剤放出を提供するよう動作させられることを阻止されるようにプログラムされる、項目６５に記載の医療撮像システム。
（項目６７）
前記少なくとも１つのプロセッサは、撮像されるべき患者に関する前記腎機能データが、前記プロンプトに応答して、前記医療撮像システムのユーザ入力デバイスを介して手動で入力されない場合、アラームを発するようにプログラムされる、項目６５および６６のいずれかに記載の医療撮像システム。
（項目６８）
撮像されるべき患者に関する前記腎機能データは、直接ユーザ入力、病院情報システム（ＨＩＳ）から、放射線情報システム（ＲＩＳ）から、画像アーカイブおよび通信システム（ＰＡＣＳ）から、患者電子医療記録システムから、ならびに腎機能試験モジュールからのうちの少なくとも１つによって、前記医療撮像システムに提供される、項目５９−６７のいずれかに記載の医療撮像システム。
（項目６９）
腎機能データ源をさらに備え、該腎機能データ源は、直接ユーザ入力、病院情報システム（ＨＩＳ）、放射線情報システム（ＲＩＳ）、画像アーカイブおよび通信システム（ＰＡＣＳ）、患者電子医療記録システム、ならびに腎機能試験モジュールのうちの少なくとも１つを備える、項目５９−６７のいずれかに記載の医療撮像システム。
（項目７０）
前記閾値腎機能データは、直接ユーザ入力、前記医療撮像システムの造影剤注入器システムの造影剤シリンジのデータ記憶デバイスから読み出されるデータから、複数の造影剤タイプおよび関連付けられた閾値腎機能を有するデータ記憶装置から、病院情報システム（ＨＩＳ）から、放射線情報システム（ＲＩＳ）から、ならびに画像アーカイブおよび通信システム（ＰＡＣＳ）からのうちの少なくとも１つによって、前記医療撮像システムに提供される、項目５９−６７のいずれかに記載の医療撮像システム。
（項目７１）
前記腎機能査定モジュールは、少なくとも１つのプロセッサをさらに備える、項目５８−６４のいずれかに記載の医療撮像システム。
（項目７２）
前記少なくとも１つのプロセッサは、撮像されるべき患者に関する前記腎機能データが前記閾値腎機能データに対応しない場合、造影剤注入器システムが造影剤放出を提供するよう動作させられることを阻止されるようにプログラムされる、項目７１に記載の医療撮像システム。
（項目７３）
前記少なくとも１つのプロセッサは、撮像されるべき患者に関する前記腎機能データが、前記閾値腎機能データに対応しない場合、アラームを発するようにプログラムされる、項目７１および７２のいずれかに記載の医療撮像システム。
（項目７４）
前記少なくとも１つのプロセッサは、造影剤注入器システムが、第１および第２の条件のうちの１つ以上の発生に応じて、造影剤放出を提供するよう動作せられることを阻止されるようにプログラムされ、該第１の条件は、撮像されるべき患者に関する前記腎機能データが、前記医療撮像システムに提供されていないというものであり、該第２の条件は、撮像されるべき患者に関する該腎機能データが、前記閾値腎機能データに対応しないというものである、項目７１−７３のいずれかに記載の医療撮像システム。
（項目７５）
前記少なくとも１つのプロセッサは、前記第１および第２の条件のうちの１つ以上の発生に応じて、アラームを発するようにプログラムされる、項目７４に記載の医療撮像システム。
（項目７６）
前記少なくとも１つのプロセッサは、前記第１および第２の条件のうちの１つ以上の発生に応じて、少なくとも１つの次のアクション命令を発するようにさらにプログラムされる、項目７４および７５のいずれかに記載の医療撮像システム。